(57)【要約】【課題】本発明の目的は各音間の音程を狂わせることがなく、ピッチを変えることができるオカリナの音程調整方法を提供することにある。【解決手段】本発明のオカリナの調律方法は歌口のエッジ部分を手前からＵ字状に囲う調整部材を外側に配置するものであって、前記調整部材の高さおよび／または長さを調整自在に変えることにより、ピッチを変えられるようにした。【選択図】図２
2014021294.tif 000002
【特許請求の範囲】
【請求項１】
歌口のエッジ部分を手前からＩ字状、Ｌ字状もしくはＵ字状に囲う調整部材を外側に配置するものであって、前記調整部材の高さ／長さを調整自在に変えることにより、ピッチを変えられるようにしたことを特徴とするオカリナの調律方法。
【請求項２】
前記調整部材には変形可能な柔軟素材を用い、長さと高さを調整自在に細工するようにしたものである請求項１に記載のオカリナの調律方法。
【請求項３】
前記の変形可能な柔軟素材には蝋粘土を用いる請求項２に記載のオカリナの調律方法。
【請求項４】
オカリナの歌口のエッジの大きさに対応したＩ字状、Ｌ字状もしくはＵ字状の筒状の型からなる請求項２又は３に記載のオカリナの調律方法に用いる冶具。
【請求項５】
前記調整部材の有効高さを調整可能とする機構を備えたものであって、その高さを調整してオカリナのピッチを変えられるようにしたことを特徴とする請求項１に記載のオカリナの調律方法を実行する器具。
【発明の詳細な説明】
【技術分野】
【０００１】
本発明は気鳴楽器の一つであるオカリナの調律方法とそれに用いる器具に関する。
【背景技術】
【０００２】
オカリナの音は吹き込んだ息がエッジに当たることにより発生するが、出る原理の詳細についてはおおきくわけて２つの説が存在しており、その一説は、エッジに当たった空気が空洞に入り、空洞内の圧力がわずかに上昇してエアービームが押し出され、それにより圧力は低下し、再びエアービームが引き込まれるという現象の反復により振動が発生するとされる。もう一方の説は、エッジに当たった空気が渦を生じ、これが振動となるという説もある。このように発生した空気振動は容器内で空洞共振を起こし、発音する。音響原理からすると音程はリコーダーやフルートのようにエッジからトーンホールまでの距離によって決まるのではなく、共鳴部全体の体積に対する開口部の大きさ（面積の和）により決定されるものであるため、つぼ状楽器（vessel flute：ベッセルフルート）に分類されている。その音色は材料や空洞の形状や歌口に影響されるとされている。
【０００３】
オカリナの材質はプラスチックや金属製のものもあるが、一般には陶器である。粘土をこねて成形し焼いて作るため、焼き縮みの関係で個々の製品にどうしても音域のバラツキができてしまう。通常のオカリナは構造上その音程を調整できる機構は備えていないため、狂いが大きい場合には製品として使えないものとなってしまうし、小さな狂いのものでも、吹く息の強さで調節するとか、指穴の上を指で覆って調節する等、コントロールが非常に難しかった。また長時間吹いているとオカリナの温度が上がり、次第に音が高くなってしまうので、他のオカリナや他の楽器と合奏する場合には格段のテクニックが必要であった。
【０００４】
この問題の解決方法として、古典的には共鳴部に棒を差し込んで内容積を変えてピッチを変えるという手法をMezzetti  が提案し、1878年にイギリス、フランス、ベルギーで特許を取得している。また、Fiehn  も共鳴部の容積を可変とすることにより同じ原理の手法を提示し、1881年にドイツ、オーストリアで特許を取得している。日本では1948年に明田川孝が考案した指穴以外に穴を空け、この穴の大きさを調整することでピッチを変えるようにしたオカリナ（特許文献１）がある。また、特許文献２には音高を調整することができる音高調整機能付きオカリナを提供することを目的とし、オカリナ本体の一部に円筒状のパイプを固着し、このパイプ内部にスライド可能なピストンを装着する。あらかじめ円筒パイプが貫通する大きさの穴を開けて焼成したオカリナ本体に円筒パイプを固着する。一方につまみの付いた細棒に、円筒パイプの内径に密着する大きさのゴム状素材を貫通させ、細棒のつまみの付いていない一方の端に固定したピストンを用意する。ピストンを円筒パイプの内部に挿入するという構成が採られている。この思想はピストンの進退動作により共鳴部の容積を可変とするものであり、基本的に前述した古典的手法と同様である。
【先行技術文献】
【特許文献】
【０００５】
【特許文献１】実公昭２５−９９４８号公報  「オカリーナ笛」  昭和２５年１１月２９日公告
【特許文献２】特開２０１１−１９７６２１号公報  「音高調整機能付きオカリナ」  平成２３年１０月６日公開
【発明の概要】
【発明が解決しようとする課題】
【０００６】
これら従来の音程調整方法は基音が変わると他の音の高さがバラバラに変化してしまい、各音の音程が狂ってしまうため、あまり実効的ではなかった。
本発明の目的は各音間の音程を狂わせることがなく、ピッチを変えることができるオカリナの音程調整方法を提供することにある。
【課題を解決するための手段】
【０００７】
本発明のオカリナの調律方法は歌口のエッジ部分を手前からＩ字状、Ｌ字状もしくはＵ字状に囲う調整部材を外側に配置するものであって、前記調整部材の高さおよび／または長さを調整自在に変えることにより、ピッチを変えられるようにした。
前記調整部材には蝋粘土のような変形可能な柔軟素材を用い、長さと高さを調整自在に細工するようにした。
本発明の方法に使用される冶具は、オカリナの歌口のエッジの大きさに対応したＩ字状、Ｌ字状もしくはＵ字状の筒状の型からなるようにした。
本発明の方法に使用される調整部材は、該調整部材の有効高さを調整可能とする機構を備えたものであって、その高さを調整してオカリナのピッチを変えられるようにしたことを特徴とする。
【発明の効果】
【０００８】
本発明のオカリナの調律方法は、歌口のエッジ部分を手前からＩ字状、Ｌ字状もしくはＵ字状に囲う調整部材を外側に配置することによって、音のピッチを下げることができ、前記調整部材の高さ／長さを変えることにより、下がるピッチ量を変えることができる。この調律法によって今まで使い物にならなかったオカリナも使用可能となるため、今まで、歩留まりの悪かった陶器製のオカリナの生産性を飛躍的に改善することができる。また、微妙な差異のため合奏が困難だったオカリナも演奏途中で調整部材の高さを変えることで、たやすく音のピッチを変えることができるという特段の効果がある。
【０００９】
本発明のオカリナの調律方法は、前記調整部材には蝋粘土のような変形可能な柔軟素材を用いることにより、その調整部材の長さと高さを調整自在に細工できるので、容易に下がるピッチ量を変えることができる。また、この方法を実施するに当たって使用される本発明の冶具は、オカリナの歌口のエッジの大きさにに対応したＩ字状、Ｌ字状もしくはＵ字状の筒状の型からなるようにしたので、変形可能な柔軟素材をこの型の中に充填することで所望の形状で、かつ充填量を調整することで高さ調整が容易に実行できる。
【００１０】
本発明の方法に使用される調整部材は、該調整部材の有効高さを調整可能とする機構を備えたものであるから、その高さを調整自在に設定することによって、容易に下がるピッチ量を変えることができる。演奏の合間にもその調整は容易に行うことができる。
【図面の簡単な説明】
【００１１】
【図１】図１はオカリナの歌口近傍の気流の状態を説明する図である。
【図２】図２は本発明の調律方法に係る調整部材の装着状態を説明する図である。
【図３】図３は本発明の調律方法を容易に実施するための冶具を示す図である。
【図４】図４は高さ調整可能な本発明の調律方法を実施する調整部材を示す図である。
【発明を実施するための形態】
【００１２】
本発明者は、従来の調整方法では他の音の高さがバラバラに変化してしまうことに鑑み、他の音に変化を及ぼさないパイプオルガンの髭の操作で音の高さを変える調律方法にヒントを得て、本発明を想到した。パイプオルガンの髭の操作とはパイプの歌口の両側にある"側ヒゲ［mouth width(英)、Labienbreite(独)］"の開き具合で音の高さを変えるものである。具体的にはオカリナの歌口のエッジ部分の手前側すなわち吹き口側にＵ字の底部がくるように該エッジ部分を囲う形態で調整部材を外側に配置するものであって、調整部材の存在によって音の高さは低い方にシフトする。該調整部材の高さおよび／または長さを調整自在に変えることにより、ピッチを変えられるようにした調律方法である。
【００１３】
本発明の調律方法の正確な音響学的な解析はできていない。しかし、本発明者は以下のような現象であろうと推察する。すなわち、オカリナは図１に示すように歌口１にエッジ1aが形成されており、このエッジ1aに吹き口２からの空気が吹付けられ、気流は共鳴部３の内側と外側に分けられる。エッジ1aの面近傍に境界層が形成され、渦発生現象を伴う。渦は境界層から剥離し近傍に移動していくと考えられる。もともとオカリナには歌口１のエッジ1aに対峙して気道５の出口には壁部5aが形成されているが、本発明の構成は歌口のエッジ1a部分を手前からＵ字状に囲う調整部材４を外側に配置するものであるから、この構成は壁部5aの高さを実質的にかさ上げする結果となる。この調整部材４の存在が歌口近傍の気流に影響を与え、共鳴部３における空気振動の周波数を変えていることになる。図１に図解したようにエッジ1aの近傍で発生した渦は一部上流側に迂回して戻り、その渦が調整部材４にぶつかって、停滞し歌口から振動によって出入りする気流に影響を及ぼし、音を低い方にシフトさせるものと推察される。また、本発明者はこの調整部材４の高さおよび長さを変えることにより、音の高さが変化するという知見を得た。
【００１４】
図２は本発明の調律方法であるＵ字状の調整部材４をオカリナに装着した形態を示したものである。Ａはオカリナの裏面側の平面図であり、Ｂは断面図である。６は裏面側の大きな指穴であり、表側の音階を変える中小の指穴とは別に付いている。
【００１５】
ティーアモオカリナのイタリアーナ４Ｃを用い、Ａ（ラの音）：880ＨＺで実験を行い、本発明の現象について［表１］に示すようなデータを得た。長さ(ｌ)を２０ｍｍとしたＩ字状と長さ(ｌ)を４０ｍｍとしたＵ字状の調整部材の二種類を準備し、それぞれ高さ(ｈ)を2.5ｍｍ、５ｍｍ、7.5ｍｍ、10ｍｍ４段階として音の変化を測定した。
【表１】
2014021294.tif 000003
ここに示すセントというのは音程を示す単位で、１オクターブが1200セントと定義されている。「平均律」の場合、半音はこの1/12の100セント、全音はその２倍の200セントとなる。表１の結果から調整部材４を配置することで音が低い方にシフトしていることが確認される。長さ２０ｍｍのものでは高さ(ｈ)を2.5ｍｍとしたとき、音は５〜１０セント下がり、５ｍｍでは１０〜１５セント下がり、7.5ｍｍでは１５〜２０セント下がり、10ｍｍでは２０〜２５セント下がった。2.5ｍｍ高くなる毎に５セント程低くなるという関係であった。長さ４０ｍｍのものでは高さ(ｈ)を2.5ｍｍとしたとき、音は１０〜１５セント下がっている。このことから、長さが長いと音が低くなる量が大きくなることが分かる。その後の５ｍｍでは１５〜２０セント下がり、7.5ｍｍでは２０〜２５セント下がっており、2.5ｍｍ高くなる毎に５セント低くなるという２０ｍｍのときと同様の関係が認められた。しかし、10ｍｍでは２０〜２５セント下がっただけで、7.5ｍｍの高さの場合との差異が認められなかった。ということは４０ｍｍの長さで囲った調整部材においては7.5ｍｍ以上の高さの気流の現象は歌口部の空気の出入りには影響を及ぼさないということがいえるだろう。
なお、上記のデータで５セントの幅があるのは、今回の実験が十分な試験設備がない中で取ったデータであるため、とりわけ吹付ける気流を一定を保つことが困難であったためと推定される。しかしながら、この実験によって調整部材の長さは長い方が、高さは高い方が音のシフト量が大きくなること、そして、高さはある高さを超えるとそれ以上の効果はないという現象を確認することができといえる。
【実施例】
【００１６】
本発明は気流の障害物となる調整部材の存在が必要であるが、調整部材部分で空気振動が起こって発音するわけではないので、その素材については大きな問題とはならない。長さと高さを可変にして調律できればよい。本発明者はオカリナ本体に容易に装着・脱着でき、長さと高さを自由に変えられる素材として蝋粘土を使用した。要するに、熱を加えれば軟らかくなり、高さも長さも自由に変えられ、使用時は形状の安定が保たれ、取外しも容易だからという理由からである。音の調整を容易にし、且つ音の高さを安定させるためには図３に示すようなＵ字状の筒型７を作成しておきその内面に高さ表示を入れておくとよい。図では分かり易いように外面に目盛り８を付している。充填する素材は蝋粘土に限らず熱可塑性の素材であれば実施できる。熱可塑性の材料であれば加熱することで軟らかくなり、高さ調整が容易である。この調整部材をオカリナへ取付るには底部を熱して貼付けてもよいし、剥離可能な接着剤や両面テープで取付けることもできる。そうすればオカリナを傷つけることなく取り外すことができる。なお、本発明の調整部材用の冶具は上記したＵ字状に限らず、Ｉ字状若しくはＬ字状であってもよい。
【００１７】
他の方法としては図４に示すように高さ可変の調整部材40を準備しておき、それを剥離可能な接着剤や両面テープ等でオカリナに取付けるという方法である。オカリナの音を調べ、必要な調整量にみあう高さに調整して調律するという手法である。ここに示した例はケース41に上下動可能な部材42を装着したもので、該上下動可能な部材42の背面にラック形態の歯切りを施し、前記ケース41に回転自在に取り付けられたピニオン43と噛合わせて該ピニオン43を回動させることで前記上下動可能な部材42を変位させるという機構となっている。この上下動は前記上下動可能な部材42の背面に施されたラック状の歯とピニオン43とが噛合ってピニオン43が指で回動されることでなされるが、この上下動をスムーズに行うために上下動可能な部材42の側面には案内となる凸部44が形成されており、該案内凸部44がケース41に穿設された案内溝部に嵌合する形態が採られている。
なお、高さ可変の調整部材40はこの実施形態に限られるものではなく、上下動可能な部材42を変位させる適宜の機構が適用できることは自明であろう。
【符号の説明】
【００１８】
１    歌口
1a    歌口のエッジ
２    吹き口
３    共鳴部
４    調整部材
５    気道
６    指穴
７    型
８    目盛り
40    高さ可変の調整部材
41    ケース
42    上下動可能な部材
43    ピニオン
44    案内
【図１】
2014021294.tif 000004
【図２】
2014021294.tif 000005
【図３】
2014021294.tif 000006
【図４】
2014021294.tif 000007